(57)【要約】【課題】コンクリートにより建築用や土木用の壁、土台等を形成する際に、コーンの取り外し後において出現する空洞孔部に後詰めする充填部材の落下防止を図るためのコンクリート型枠の固定用コーンを提供する。【解決手段】円錐台形状からなるコーン本体１の上底部をセパレータ２１の先端に固定し、下底部をコクリート型枠２０に当接する。また、前記下底部と桟部材との間でコンクリート型枠２０を挟持してコンクリート型枠２０を固定する。このようにしたコンクリート型枠の固定用コーンであって、前記コーン本体１を外側コーン２と内側コーン３に分離可能な２部材からなるものとし、この外側コーン２の外周面にネジ状部５を形成した。【選択図】図１
2010285820.tif 000002
【特許請求の範囲】
【請求項１】
円錐台形状からなるコーン本体の上底部をセパレータの先端に固定し、下底部をコクリート型枠に当接するとともに、この下底部と桟部材との間でコンクリート型枠を挟持してコンクリート型枠を固定するようにしたコンクリート型枠の固定用コーンであって、前記コーン本体を外側コーンと内側コーンに分離可能な２部材からなるものとし、この外側コーンの外周面にネジ状部を形成したことを特徴とするコンクリート型枠の固定用コーン。
【請求項２】
内側コーンに、コンクリート型枠を貫通して外側へ突出する固定ボルトが設けてある請求項１に記載のコンクリート型枠の固定用コーン。
【請求項３】
内側コーンに、セパレータ先端の雄ネジ部と螺合する雌ネジ部が形成してある請求項１または２に記載のコンクリート型枠の固定用コーン。
【請求項４】
円柱状の内側コーンに、外形状が円錐台形状である筒状の外側コーンを被せて一体化し円錐台形状のコーン本体としてある請求項１〜３のいずれかに記載のコンクリート型枠の固定用コーン。
【請求項５】
外形状が円錐台形状である筒状の外側コーンの内側に、円錐台形状の内側コーンを装入して一体化し円錐台形状のコーン本体としてある請求項１〜４のいずれかに記載のコンクリート型枠の固定用コーン。
【発明の詳細な説明】
【技術分野】
【０００１】
本発明は、コンクリート構造物を形成する際に用いるコンクリート型枠の固定用コーンに関するものである。更に詳述すれば、前記固定用コーンを取り外した後にコンクリート表面に出現する空洞孔部に充填部材を後詰めした場合に、該充填部材の落下を防止するための落下防止溝を形成することができるコンクリート型枠の固定用コーンに関するものである。
【背景技術】
【０００２】
従来から、壁や土台や橋梁等のコンクリート構造物を形成する場合、流し込んだコンクリートが固まるまでは板状のコンクリート型枠により固定しておき、固化した後はコンクリート型枠およびプラスチック製の固定用コーンを取り外し、その後、出現する空洞孔部にモルタルやコンクリート等の充填部材を後詰めして孔部を塞ぐ施工方法が広く一般に行われている。
【０００３】
例えば、特許文献１〜特許文献３には、前記一対のコンクリート型枠が一定の間隔を確保するよう対峙してセットされており、セパレータと称される棒部材がコンクリート型枠間に配置されて、このセパレータの先端部に取り付けたセパレータコーンと称される固定用コーンを利用してコンクリート型枠を連結・固定する構造と、これを用いた施工方法が記載されている。
【０００４】
なお、前記空洞孔部を塞ぐのは、コンクリート中に埋設されている金属製セパレータの先端部が空洞孔部内に突出して露呈した状態にあるため、風雨に曝されてこのセパレータが腐食するのを防止する必要があるからであり、一般的には空洞孔部にモルタルやコンクリート等の充填部材を後詰めして塞いでいる。
【０００５】
しかしながら、いずれの従来技術においても、出現する空洞孔部の形状は固定用コーンの取り外し操作の都合上、表面から奥に向けて徐々に外径が細くなる円錐台形状となっているのが普通であり、この孔部にモルタルやコンクリート等の充填部材を後詰めした場合は、乾燥後における充填部材の接着強度を十分に保持することができず、自然にあるいは振動等の影響を受けて落下する現象が発生していた。この結果、何度も充填部材を詰め直す作業を強いられるという問題点や、セパレータの腐食を進行させてしまうという問題点があった。
【先行技術文献】
【特許文献】
【０００６】
【特許文献１】特開２００４−３２４２７６号公報
【特許文献２】特開２００２−１２１８９２号公報
【特許文献３】特開平１１−３１１０２２号公報
【発明の概要】
【発明が解決しようとする課題】
【０００７】
本発明は上記のような問題点を解決して、コンクリートにより土木用の壁や土台等を形成する場合に、固定用のコーンの取り外し後においてコンクリート表面に出現する空洞孔部に後詰めした充填部材の落下現象を確実に防止することでき、またこれにより充填部材の詰め直し作業やセパレータの腐食の進行をなくすことができるコンクリート型枠の固定用コーンを提供することを目的として完成されたものである。
【課題を解決するための手段】
【０００８】
上記課題を解決するためになされた本発明のコンクリート型枠の固定用コーンは、円錐台形状からなるコーン本体の上底部をセパレータの先端に固定し、下底部をコクリート型枠に当接するとともに、この下底部と桟部材との間でコンクリート型枠を挟持してコンクリート型枠を固定するようにしたコンクリート型枠の固定用コーンであって、前記コーン本体を外側コーンと内側コーンに分離可能な２部材からなるものとし、この外側コーンの外周面にネジ状部を形成したことを特徴とするものである。
【０００９】
また、内側コーンにはコンクリート型枠を貫通して外側へ突出する固定ボルトが設けてあることや、またセパレータ先端の雄ネジ部と螺合する雌ネジ部が形成してあることが好ましく、それぞれ請求項２、３に係る発明とする。
【００１０】
更に、円柱状の内側コーンに、外形状が円錐台形状である筒状の外側コーンを被せて一体化し円錐台形状のコーン本体としたものや、外形状が円錐台形状である筒状の外側コーンの内側に、円錐台形状の内側コーンを装入して一体化し円錐台形状のコーン本体としたものが好ましく、それぞれ請求項４、５に係る発明とする。
【発明の効果】
【００１１】
請求項１に係る発明では、コーン本体を外側コーンと内側コーンに分離可能な２部材からなるものとし、この外側コーンの外周面にネジ状部を形成したので、固定用コーンを取り外した後に出現する空洞孔部にはネジ状部が形成されることとなり、後詰めした充填部材はこのネジ状部の引っ掛かりにより落下することがなくなる。
【００１２】
また、請求項２に係る発明では、内側コーンにコンクリート型枠を貫通して外側へ突出する固定ボルトが設けてあるので、この固定ボルトを用いてコーン本体の下底部と桟部材との間でコンクリート型枠を挟持し、コンクリート型枠をしっかりと固定することが可能となる。
【００１３】
また、請求項３に係る発明では、内側コーンにセパレータ先端の雄ネジ部と螺合する雌ネジ部が形成してあるので、コーン本体をセパレータに下端かつ確実に固定することができる。
【００１４】
また、請求項４に係る発明では、円柱状の内側コーンに、外形状が円錐台形状である筒状の外側コーンを被せて一体化し円錐台形状のコーン本体としてあるので、先ず内側コーンをセパレータに固定後、この内側コーンに外側コーンを被せれば円錐台形状のコーン本体に簡単に一体化することができる。
【００１５】
また、請求項５に係る発明では、外形状が円錐台形状である筒状の外側コーンの内側に、円錐台形状の内側コーンを装入して一体化し円錐台形状のコーン本体としてあるので、内側コーンとして市販のセパレートコーンをそのまま利用することができ、コスト削減を図ることができる。
【図面の簡単な説明】
【００１６】
【図１】本発明の使用状態を示す概略断面図である。
【図２】図１の要部の断面図である。
【図３】外側コーンを示す正面図である。
【図４】内側コーンを示す正面図である。
【図５】本発明のコーンを示す分解斜視図である。
【図６】その他の実施の形態を示す要部の断面図である。
【図７】図６の外側コーンを示す正面図である。
【図８】図６の内側コーンを示す正面図である。
【図９】その他のコーンを示す分解斜視図である。
【発明を実施するための形態】
【００１７】
以下に、図面を参照しつつ本発明の好ましい実施の形態を示す。
図１は、本発明の固定用コーンを使用してコンクリート型枠を固定した状態を示す概略断面図、図２は要部の断面図である。図において、２０は板状のコンクリート型枠、２１はこの型枠内に配置されている金属製のセパレータ、２２はこの型枠内に流し込まれたコンクリートであり、このコンクリートが固化するまでの間、コンクリート型枠２０を固定するのに固定用コーンが一般的に用いられている。この固定用コーンは、円錐台形状からなるコーン本体１からなるものであり、上底部をセパレータ２１の先端にネジ止め固定し、下底部をコクリート型枠２０に当接するようにセットされている。
【００１８】
前記コーン本体１の下底部には、コンクリート型枠２０を貫通して外側へ突出する固定ボルト４が突設してあり、これにフォームタイ３０がネジ止めして延長されている。また、前記コンクリート型枠２０の外側には縦桟３１と横桟３２が格子状に組まれ、この横桟３２を座金３３で覆うとともに、この座金３３をナット３４でもってフォームタイ３０に締め付けることにより前記コンクリート型枠２０をコーン本体１の下底部に当接させてしっかりと固定している。
【００１９】
前記コーン本体１は、図３〜図５に示すように、外側コーン２と内側コーン３に分離可能な２部材からなるものであり、この外側コーン２の外周面にはネジ状部５が形成された構造となっている。なお、このネジ状部５の形状は一条ネジでも多条ネジでもよく、またネジ長さは一巻き以上あることが好ましい。
２部材とすることにより、コンクリート型枠２０を取り除いた後でコーン本体１を除去する際に、先ず内側コーン３を除去し、次いで外側コーン２を除去することで効率よく作業が行えることとなる。また、ネジ状部５を形成することにより、コーン本体１の除去後に出現する空洞孔部にモルタルやコンクリート等の充填部材を後詰めして塞いだ場合に、ネジ状部５の引っ掛かりにより充填部材の落下防止を図ることが可能となる。
【００２０】
図３〜図５に示すものでは、円柱状の内側コーン３に、外形状が円錐台形状である筒状の外側コーン２を被せて一体化し円錐台形状のコーン本体１とした構造となっている。
前記内側コーン３の下底部側の中心部には、コンクリート型枠２０を貫通して外側へ突出する固定ボルト４が設けられており、上底部側の中心部にはセパレータ２１の先端の雄ネジ部と螺合する雌ネジ部が形成してある。また、内側コーン３の上底部側の外周縁には環状突起３ａが形成されており、外側コーン２を被せた場合に両者を位置決め固定できる構造となっている。
なお、前記外側コーン２及び内側コーン３は、ポリプロピレン樹脂などの比較的硬度の高い合成樹脂からなるものであるが、内側コーン３にあっては固定ボルト４及びセパレータ２１の先端と螺合する雌ネジ部は金属や硬質樹脂で形成されて一体化した構造となっている。
【００２１】
図６〜図９に、その他の外側コーン２と内側コーン３の構造を示す。
この例では、外形状が円錐台形状である筒状の外側コーン２の内側に、円錐台形状の内側コーン３を装入・一体化して円錐台形状のコーン本体１とした構造となっている。この場合は、前記内側コーン３として従来の市販品である円錐台形状のコーンを用いることができる。
この内側コーン３の下底部側の中心部には、コンクリート型枠２０を貫通して外側へ突出する固定ボルト４が設けられており、また上底部側の中心部にはセパレータ２１の先端の雄ネジ部と螺合する雌ネジ部が形成してある。また、この内側コーン３を外側コーン２に密着するように装入して両者を一体化するが、図６および図９に示すように、外側コーン２がコンクリート型枠２０の内部側へ脱落しないように、外側コーン２の上底部側には脱落防止用のワッシャー６が組み合わされている。
【００２２】
以上のように構成された固定用コーンは、上底部をセパレータ２１の先端にネジ止め固定し、下底部をコクリート型枠２０に当接するようにセットする。次いで、コンクリート型枠２０を貫通して外側へ突出している固定ボルト４にフォームタイ３０をネジ止めする。更に、前記コンクリート型枠２０の外側に縦桟３１と横桟３２を格子状に組んで、この横桟３２を座金３３で覆うとともに、この座金３３をナット３４でもってフォームタイ３０に締め付けることにより、前記コンクリート型枠２０をコーン本体１の下底部に当接させしっかりと固定する。この状態で、コンクリート型枠２０内にコンクリートを流し込み、固まるまで待つ。
【００２３】
コンクリートが固化した後は、前述の組立手順と逆の操作により縦桟３１と横桟３２を解体してコンクリート型枠２０を除去し、最後にコーン本体１を取り外す。
このコーン本体１の取り外しは、図２のものでは、先ず外側コーン２を取り外し、次いで内側コーン３をセパレータ２１の先端から取り外す。図５に示すように、前記外側コーン２の内周面には４本の縦溝７，７が均等に設けられているので、この縦溝７内に例えばフォーク状の冶具（図示せず）を差し込みネジ状部５が緩む方向へ回動すれば、外側コーン２を簡単に取り外すことができる。次に、内側コーン３をセパレータ２１との螺合を解くように回動して取り外し、解体を終了する。
【００２４】
また、図６のものでは、縦桟３１と横桟３２を解体してコンクリート型枠２０を除去し、最後にコーン本体１を取り外す点は前述のものと同じであるが、この場合は、先ず内側コーン３をセパレータ２１の先端から取り外し、次いで外側コーン２を取り外すことになる。外側コーン２の取り外しについては、外側コーン２の内周面に４本の縦溝７、７が均等に設けられているので、この縦溝７内に例えばフォーク状の冶具や板状の冶具（図示せず）を差し込みネジ状部５が緩む方向へ回動して取り外す。
【００２５】
このようにしてコーン本体１を取り外すと、コンクリートの表面には金属製セパレータ２１の先端部が突出して露呈した状態の空洞孔部が出現するので、この空洞孔部内に一般に用いられているモルタルやコンクリート等の充填部材を詰めることによりこの空洞孔部を塞いで工事を終了する。
前記空洞孔部には、外側コーン２のネジ状部５に対応した凹溝部が形成されており、充填部材はこの凹溝部に引っ掛かった状態で孔部内に保持されるため、従来のように充填部材が落下するのを確実に防止することでき、またこれにより充填部材の詰め直し作業やセパレータ２の腐食の進行も防止できることとなる。
【符号の説明】
【００２６】
１  コーン本体
２  外側コーン
３  内側コーン
４  固定ボルト
５  ネジ状部
６  ワッシャー
７  縦溝
２０  コンクリート型枠
２１  セパレータ
２２  コンクリート
３０  フォームタイ
３１  縦桟
３２  横桟
３３  座金
３４  ナット
【図１】
2010285820.tif 000003
【図２】
2010285820.tif 000004
【図３】
2010285820.tif 000005
【図４】
2010285820.tif 000006
【図５】
2010285820.tif 000007
【図６】
2010285820.tif 000008
【図７】
2010285820.tif 000009
【図８】
2010285820.tif 000010
【図９】
2010285820.tif 000011